(57)【特許請求の範囲】
【請求項１】
外箱と内箱との間に発泡断熱材が充填された断熱箱体内を、上下二枚の仕切板およびそれらの間に充填された断熱材からなる仕切壁により冷凍室、冷蔵室および野菜室等に区画し、前記断熱箱体の前面に、回動自在に枢支された開閉扉と、前記内箱に設けられた前後に延びるレール部に対応する車輪を枢支した滑動部を備え、前後動自在な開閉扉とを装着してなる電気冷蔵庫において、
前記レール部が、前記仕切板の両側にヒンジを介して連続形成されるとともに、同ヒンジにより折曲し相対向して前記内箱に設けられ、
前記仕切板の両側部近傍であって前記ヒンジの内側に、前後に延びる断面凸形状部を連続形成する一方、前記ヒンジと前記レール部との間に、前記断面凸形状部の上面に当接する略水平状の当接部を連続形成したことを特徴とする電気冷蔵庫。
【請求項２】
前記断面凸形状部の上面に係止爪を連続形成する一方、同係止爪に対応して前記当接部に段形状からなる係止部を連続形成したことを特徴とする請求項１に記載の電気冷蔵庫。
【請求項３】
前記係止爪およびこれに対応する前記係止部を、前記断面凸形状部の長手方向にわたって形成したことを特徴とする請求項２に記載の電気冷蔵庫。
【請求項４】
前記断面凸形状部の基端部を、曲面状に形成したことを特徴とする請求項１、請求項２または請求項３に記載の電気冷蔵庫。
【発明の詳細な説明】
【０００１】
【発明の属する技術分野】
本発明は、電気冷蔵庫に係わり、より詳細には、前後動自在な開閉扉の背面に設けられた滑動部の車輪に対応するレール部を、庫内を上下に区画した仕切壁の上下を構成する仕切板の両側にヒンジを介して連続形成するとともに、同ヒンジにより折曲し相対向して内箱に設けるようにした構造に関する。
【０００２】
【従来の技術】
従来の電気冷蔵庫は、例えば図１と、図４（Ａ）および図４（Ｂ）とで示すように、外箱２と内箱３との間に発泡断熱材が充填された断熱箱体内を、上下二枚の仕切板4a、4bおよびそれらの間に充填された断熱材4cからなる仕切壁４により冷凍室、冷蔵室および野菜室等に区画し、前記断熱箱体の前面に、回動自在に枢支された開閉扉５と、前記内箱３に設けられた前後に延びるレール部７に対応する車輪6bを枢支した滑動部6aを備え、前後動自在な開閉扉６とを装着してなる構成であった。
【０００３】
しかしながら、前記レール部７は、図４（Ａ）で示すように、前記車輪6bが脱落しないように防止するための防止片7aを備えて別部材により形成され、前記内箱３に組み付けられるようにした構成であることから、コスト的に不利になったり、組み付けのために余分な工数が生じてしまうなどの問題を有していた。
【０００４】
または、前記レール部７は、図４（Ｂ）で示すように、前記内箱３と一体的に形成する場合には、前記車輪6bが脱落しないように防止するための破線で示す前記防止片7aを形成することができないという問題を有していた。
【０００５】
【発明が解決しようとする課題】
本発明においては、上記の問題点に鑑み、前後動自在な開閉扉の背面に設けられた滑動部の車輪に対応するレール部を、庫内を上下に区画した仕切壁の上下を構成する仕切板の両側にヒンジを介して連続形成するとともに、同ヒンジにより折曲し相対向して内箱に設けるようにした電気冷蔵庫を提供することを目的とする。
【０００６】
【課題を解決するための手段】
本発明は、上記課題を解決するため、外箱と内箱との間に発泡断熱材が充填された断熱箱体内を、上下二枚の仕切板およびそれらの間に充填された断熱材からなる仕切壁により冷凍室、冷蔵室および野菜室等に区画し、前記断熱箱体の前面に、回動自在に枢支された開閉扉と、前記内箱に設けられた前後に延びるレール部に対応する車輪を枢支した滑動部を備え、前後動自在な開閉扉とを装着してなる電気冷蔵庫において、前記レール部が、前記仕切板の両側にヒンジを介して連続形成されるとともに、同ヒンジにより折曲し相対向して前記内箱に設けられるようにし、前記仕切板の両側部近傍であって前記ヒンジの内側に、前後に延びる断面凸形状部を連続形成する一方、前記ヒンジと前記レール部との間に、前記断面凸形状部の上面に当接する略水平状の当接部を連続形成した構成となっている。
【０００７】
【０００８】
【０００９】
【００１０】
【００１１】
【００１２】
また、前記断面凸形状部の上面に係止爪を連続形成する一方、同係止爪に対応して前記当接部に段形状からなる係止部を連続形成した構成となっている。
【００１３】
また、前記係止爪およびこれに対応する前記係止部を、前記断面凸形状部の長手方向にわたって形成した構成となっている。
【００１４】
更に、前記断面凸形状部の基端部を、曲面状に形成した構成となっている。
【００１５】
【発明の実施の形態】
以下、本発明の実施の形態を、添付図面に基づいた実施例として説明する。図１と、図２と、図３（Ａ）および図３（Ｂ）とにおいて、１は電気冷蔵庫本体、２は同本体１を構成する外箱、３は内箱で、これら外箱２および内箱３の間には断熱材が充填されて断熱箱体が構成されている。４は前記断熱箱体の内部を上下に仕切る仕切壁で、同仕切壁４は、上記に説明した従来技術の場合と同様に、上下二枚の仕切板4a、4bおよびこれらの間に充填された断熱材4cから構成されている。５は前記断熱箱体の前面に回動自在に枢支された開閉扉、６は前記内箱３に設けられた前後に延びるレール部７に対応する車輪6bを枢支した滑動部6aを備えた前後動自在な開閉扉である。
【００１６】
前記レール部７が、第一の実施例として図２で示すように、前記仕切板4a、4bの両側にヒンジａを介して連続形成されるとともに、同ヒンジａにより折曲し相対向して前記内箱３に設けられるようにした構成となっており、これによって、前記レール部７と前記仕切板4aとを一体成形できるようになりコスト的に有利な構造となる。
【００１７】
また、前記レール部７が、前記仕切壁４上面の少許上位に設けられてなる構成となっており、これによって、例えば前記仕切壁４上面に食料品の汁や、ジュース類などがこぼれたような場合であっても、これらが前記レール部７に侵入しないようになり、前記車輪6bの円滑な滑動に支障が生じることがないようにした構造となる。
【００１８】
また、前記ヒンジａが薄肉部からなる構成となっており、これによって、同ヒンジａを別部材からなる構成とするよりもコスト的に有利な構造となる。
【００１９】
また、前記レール部７に、前記車輪6bが脱落しないように防止する防止片7aを連続形成したことにより、コスト的に有利な構成によって、前記レール部７から前記車輪6bが脱落しないよう効果的に防止できるようになり、またそれ以前に、前記車輪6bの左右方向のガタ（遊び）を効果的に規制できるようになって、前後動自在な前記開閉扉６を、更に円滑に前後動させることができるようにした構造となる。
【００２０】
また、前記レール部７の上部に、外側に突出するフランジ7bを連続形成する一方、同フランジ7bの上面に対向して前記内箱３に突部3aを設け、これら突部3aおよびフランジ7bの上面を互いに近接または当接するようにしたことにより、前記レール部７を、余分なガタ（遊び）を生じさせないように安定させた状態で前記内箱３に係合できるようにした構成となっている。
【００２１】
また、第二の実施例として図３（Ａ）および図３（Ｂ）で示すように、前記仕切板4aの両側部近傍であって前記ヒンジａの内側に、前後に延びる断面凸形状部ｃを連続形成する一方、前記ヒンジａと前記レール部７との間に、前記断面凸形状部ｃの上面に当接する略水平状の当接部7cを連続形成したことにより、前記レール部７を、前記断面凸形状部ｃおよび前記当接部7cによってより強固に支持できるようにした構成となっている。
【００２２】
また、前記断面凸形状部ｃの上面に係止爪ｄを連続形成する一方、同係止爪ｄに対応して前記当接部7cに段形状からなる係止部ｅを連続形成したことにより、これら係止部ｅに係止爪ｄを係止して、前記レール部７を、更に安定させた状態で強固に支持できるようにした構成となっている。
【００２３】
また、前記係止爪ｄおよびこれに対応する前記係止部ｅを、前記断面凸形状部ｃの長手方向にわたって形成したことにより、前記レール部７を、より安定させた状態で更に強固に支持できるようにした構成となっている。
【００２４】
更に、前記断面凸形状部ｃの基端部c'を曲面状に形成したことにより、前記ヒンジａを折曲した場合には、その内側ｂが白色化して外観性を損ねる恐れがあったり、該箇所を清掃しにくいという問題を有していたが、前記断面凸形状部ｃを形成することによって前記内側ｂが視認できないようになるとともに、前記基端部c'を曲面状に形成したことによって該箇所を清掃しやすくした構成となっている。
【００２５】
以上の構成により、図１と、図２と、図３（Ａ）および図３（Ｂ）とで示すように、前記レール部７が、上記に説明した第一の実施例のとおり、前記仕切板4a、4bの両側にヒンジａを介して連続形成されるとともに、同ヒンジａにより折曲し相対向して前記内箱３に設けられるようにしたので、前記レール部７と前記仕切板4aとを一体成形できるようになりコスト的に有利な電気冷蔵庫となり、または、上記に説明した第二の実施例のとおり、前記仕切板4aの両側部近傍であって前記ヒンジａの内側に、前後に延びる断面凸形状部ｃを連続形成する一方、前記ヒンジａと前記レール部７との間に、前記断面凸形状部ｃの上面に当接する略水平状の当接部7cを連続形成したことにより、前記レール部７を、前記断面凸形状部ｃおよび前記当接部7cによって更に強固に支持できるようにした電気冷蔵庫となる。
【００２６】
【発明の効果】
以上のように本発明によると、前後動自在な開閉扉の背面に設けられた滑動部の車輪に対応するレール部を、庫内を上下に区画した仕切壁の上下を構成する仕切板の両側にヒンジを介して連続形成するとともに、同ヒンジにより折曲し相対向して内箱に設けるようにした電気冷蔵庫となる。
【図面の簡単な説明】
【図１】  本発明または従来例による電気冷蔵庫の斜視図である。
【図２】  本発明による電気冷蔵庫の第一の実施例を示す要部断面図である。
【図３】  本発明による電気冷蔵庫の第二の実施例を示す要部説明図で、（Ａ）は断面図であり、（Ｂ）は拡大断面図である。
【図４】  従来例による電気冷蔵庫の要部説明図で、（Ａ）は斜視図であり、（Ｂ）は断面図である。
【符号の説明】
１ 電気冷蔵庫本体
２ 外箱
３ 内箱
3a 突部
４ 仕切壁
4a，4b 上下の仕切板
4c 断熱材
５ 回動自在な開閉扉
６ 前後動自在な開閉扉
6a 滑動部
6b 車輪
７ レール部
7a 防止片
7b フランジ
7c 当接部
ａ ヒンジ
ｂ ヒンジの内側
ｃ 断面凸形状部
c' 基端部
ｄ 係止爪
ｅ 係止部
【図１】
0003982924.tif 000002
【図２】
0003982924.tif 000003
【図３】
0003982924.tif 000004
【図４】
0003982924.tif 000005